(57)【要約】    【課題】この発明は、簡単な操作で、袋型フォルダーをブック型フォルダーに変更することができる袋型及びブック型兼用フォルダーを提供する。      【解決手段】袋型フォルダー１の予め閉鎖された側面部５に、開口部４０から底部４２へ向けて切り取り部２０を形成するとともに、底部４２にバインダー部１０を形成し、切り取り部２０を介して、袋型フォルダー１の側面部５を切り離し、これにより袋型フォルダー１の表裏面３，４を表表紙と裏表紙とする拡開自在なブック型フォルダー１とするようにした袋型及びブック型兼用フォルダー。    【選択図】  図４
2008155511.tif 000002
【特許請求の範囲】
【請求項１】
予め底部が閉鎖されるとともに、上方に開口部が形成され、さらに両側面部のうち少なくとも一方あるいは双方が予め閉鎖された袋型フォルダーにおいて、
前記予め閉鎖された前記側面部に、前記開口部から前記底部へ向けて切り取り部を形成するとともに、
前記袋型フォルダー内の底部にバインダー部を形成し、
前記切り取り部を介して、前記袋型フォルダーの予め閉鎖された側面部を切り離し、これにより前記袋型フォルダーの表裏面を表表紙と裏表紙とする拡開自在なブック型フォルダーとするようにした
ことを特徴とする袋型及びブック型兼用フォルダー。
【請求項２】
前記切り取り部はミシン目であることを特徴とする請求項１に記載の袋型及びブック型兼用フォルダー。
【請求項３】
前記バインダー部は、スティクファスナーが嵌挿する孔からなることを特徴とする請求項１に記載の袋型及びブック型兼用フォルダー。
【発明の詳細な説明】
【技術分野】
【０００１】
この発明は、袋型フォルダーからブック型フォルダーへ簡単に変更することができる袋型及びブック型兼用フォルダーに関する。
【背景技術】
【０００２】
一般に、各種の事務処理において、各種の情報が記載された複数枚の紙葉類をランダムに収容するものとして、袋型フォルダーが使用されている。
【０００３】
例えば、医療事務では、患者毎に作成されるカルテ等の複数枚の紙葉類を脱落させることなくまとめて収容するものとして袋型フォルダーが使用されている。
【０００４】
この従来の袋型フォルダーは、複数枚の紙葉類を単に収容する収納ボックスとしての機能を果たすもので、その形状は、一般に底部及び両側面部が予め閉鎖され、上部に開口部を有する袋形状のものが一般的であり、また両側面部の閉鎖部のうち、いずれか一方が開口した、いわゆるＬ字開口型の袋型フォルダーと称されるものもある。
【発明の開示】
【発明が解決しようとする課題】
【０００５】
ところで、上述した袋型フォルダー内にランダムに収容された複数枚の紙葉類を、時として時系列等の一定の順序で整理し、互いに離間しないように閉じなければならない場合がある。
【０００６】
例えば、医療事務において、治療が完了した患者のカルテ等の紙葉類を整理する場合、通常は、袋型フォルダー内にランダムに収容されたカルテ等の複数枚の紙葉類を、表表紙と裏表紙とを有し、かつ、表表紙と裏表紙との間に複数枚の紙葉類を重ねて閉じることができるバインダー部を有する開閉自在なブック型フォルダー内に一定の順序で閉じるようにしている。
【０００７】
この場合、医療事務においては、通常の事務処理の場合は、各患者のカルテ等の紙葉類は各患者毎に用意された袋状フォルダー内に逐次収容し、また治療完了等の要因により、患者のカルテ等の紙葉類を整理する場合は、各患者毎に新たに別のブック型フォルダーを用意し、そのブック型フォルダー内にカルテ等の紙葉類を整理するようにしているから、各患者毎に２種類のフォルダーを用意しなければならず、このため医療事務が煩雑となるだけでなく、医療事務のコストアップの要因ともなっていた。
【０００８】
この発明は、上述した事情に鑑み、簡単な操作で、袋型フォルダーをブック型フォルダーに変更することができる袋型及びブック型兼用フォルダーを提供することを目的とする。
【課題を解決するための手段】
【０００９】
上述した課題を解決するため、この発明では、予め底部が閉鎖されるとともに、上方に開口部が形成され、さらに両側面部のうち少なくとも一方あるいは双方が予め閉鎖された袋型フォルダーにおいて、前記予め閉鎖された前記側面部に、前記開口部から前記底部へ向けて切り取り部を形成するとともに、前記袋型フォルダー内の底部にバインダー部を形成し、前記切り取り部を介して、前記袋型フォルダーの予め閉鎖された側面部を切り離し、これにより前記袋型フォルダーの表裏面を表表紙と裏表紙とする拡開自在なブック型フォルダーとするようにした袋型及びブック型兼用フォルダーを提供する。
【発明の効果】
【００１０】
上述した本願発明に係る袋型及びブック型兼用フォルダーによると、通常は複数枚の紙葉類をランダムに収容することのできる袋型フォルダーとして使用することができ、また収容された複数枚の紙葉類を一定の順序で整理して閉じる場合は、切り取り部を介して袋型フォルダーの予め閉鎖された側面部を切り離し、これにより袋型フォルダーの表裏面を表表紙と裏表紙とする拡開自在なブック型フォルダーに変更し、その変更したブック型フォルダー内部に複数枚の紙葉類を整理して収容することができるから、事務処理において、袋型フォルダーとブック型フォルダーの二種類のフォルダーを用意することなく、一種類のフォルダーを用意すればよいから、各種事務処理が簡便となり、また事務処理のコストを著しく低減させることができる。  
【発明を実施するための最良の形態】
【００１１】
以下、この発明に係る袋型及びブック型兼用フォルダーの一実施例を詳述する。
【００１２】
図１はこの発明に係る袋型及びブック型兼用フォルダー（以下単にフォルダーと言う）１の展開図である。
【００１３】
このフォルダー１は、透明あるいは半透明なプラスチック等の合成樹脂からなる所定形状に加工形成されたシート材２により形成されている。
【００１４】
このシート材２は、フォルダー１の表面を構成する矩形状の表面部３と、フォルダー１の裏面を構成する矩形状の裏面部４とから構成され、この裏面部４の右側方には、フォルダー１の予め閉鎖された右側方を形成する矩形状の側面部５が突出形成されている。
【００１５】
また、フォルダー１の表面を構成する前記矩形状の表面部３の左側方には、患者ＩＤ等の情報を書き込んだ紙のラベルを挿入する矩形状の見出し挿入部６が突出形成され、またこの表面部３の上方には、円弧形状に形成された書類を挟むためのポケット部７が突出形成されている。
【００１６】
また、上述した表面部３と裏面部４との間には、複数枚の紙葉類をまとめて閉じるバインダー部１０が形成され、その略中間部には、後述するスティクファスナーを嵌挿させるための孔１１が複数箇所形成されている。
【００１７】
そして、このシート材２には、本願発明の特徴部分である二点鎖線で示す切り取り部２０が形成されている。
【００１８】
この切り取り部２０は、表面部３の上端３ａから裏面部４の下端４ａに向けて形成されている。
【００１９】
なお、この切り取り部２０は、ミシン目により形成されているが、一般的なミシン目ではなく、一山０．２ｍｍレベルの切り刃を使用し、このミシン目により形成された切り取り部２０を境に切り取った後の凹凸面が尖っていず、安全なさわり心地を確保している。
【００２０】
なお、このミシン目からなる切り取り部２０のうち、前記表面部３の上端３ａに近づく部分２０ａと、裏面部４の下端４ａに近づく部分２０ｂは円弧形状に形成されている。
【００２１】
なお、図１で、点線は折り曲げ線を示している。
【００２２】
そして、図１に示すシート材２の点線で示す折り曲げ線に沿って、フォルダー１の表面を構成する矩形状の表面部３と、フォルダー１の裏面を構成する矩形状の裏面部４を矢印Ａのように折り曲げ、また矩形状の側面部５を矢印Ｂのように折り曲げるとともに、見出し挿入部６及びポケット部７を折り曲げ線に沿って矢印Ｃ、矢印Ｄのように折り曲げる。
【００２３】
その後、図１に示すポケット部７の直線部７ａが表面部３と接触する部分及び見出し挿入部６の直線部分６ａが表面部３と接触する部分、また見出し挿入部６の直線部分６ｂと直線部分６ｃとが接触する部分をそれぞれ溶着し、更に、矩形状の側面部５の直線部５ａと表面部３の直線部分３ｂとが接触する部分を溶着すると図２に示すフォルダー１が完成する。
【００２４】
なお、図２において、梯子状に示した部分３０，３１，３２，３３はそれぞれ溶着部分を示し、このうち、梯子状に示した部分３０はポケット部７の直線部７ａと表面部３とが溶着した部分を示し、梯子状に示した部分３１は、見出し挿入部６の直線部分６ａが表面部３と溶着した部分を示し、また、梯子状に示した部分３２は、見出し挿入部６の直線部分６ｂと６ｃとが溶着した部分を示し、さらに梯子状に示した部分３３は、矩形状の側面部５の直線部５ａが表面部３の直線部分３ｂと溶着した部分を示している（図２を参照）。
【００２５】
このように、加工して完成したフォルダー１は、上方の開口部４０と、左側方の開口部４１とから、それぞれ矢印Ｅ、矢印Ｆのようにランダムに紙葉類を挿し込んで収容することができる、いわゆるＬ字開口型の袋型フォルダーとなる。
【００２６】
なお、図２で、符号５０は、ファイルを開く際に指を当て、開け易くする指掛け部、５１は、紙のラベルの出し入れを容易にする半月状の指抜き部、５２は、半月状の切り欠きにより構成されたエアー抜き部で、見出し挿入部６内へのラベルの挿入を容易にし、また挿入されたラベルの色彩を直に認識する作用もある。
【００２７】
また、符号５３は、診察券などのカードを保管する際の押し込み口である。
【００２８】
次に上述したフォルダー１の作用を説明する。
【００２９】
まず、図３で示すように、患者ＩＤ等の情報を書き込んだ紙のラベル（ケルン太郎）６０を矢印Ｇで示すように、見出し挿入部６の指抜き部５１を介して挿入する。
【００３０】
次に、例えば上方の開口部４０を介して、印Ｅで示すようにランダムに患者のカルテ（ケルン１）６１を挿入して当該フォルダー１内に複数枚の紙葉類を収容する。その際、カルテ（ケルン１）６１は、右側方を予め閉鎖した側面部５により、フォルダー１内から脱落することが防止されている。
【００３１】
次に、治療完了等の要因により、患者のカルテ６１等の紙葉類を整理する場合は、図４に示すように、フォルダー１の右側方に形成された切り取り部２０のミシン目（二点鎖線）に沿って開口部４０から底部４２へ向けて引きちぎり、矢印Ｈのように矩形状の側面部５を切り離す。
【００３２】
このように、フォルダー１の右側方に形成された切り取り部２０のミシン目（二点鎖線）に沿って引きちぎり、矢印Ｈのように矩形状の側面部５を、開口部４０から底部４２に沿って、切り離すと、図５で示すように、表面部３と裏面部４とは矢印Ｉでしめすように拡開可能な状態となり、その中央にスティクファスナーを嵌挿させるための孔１１が複数箇所形成されたバインダー部１０が露出する。
【００３３】
従って、図５に示すフォルダー１は、表面部３が表表紙となり、裏面部４が裏表紙となる拡開自在なブック型フォルダーとなる。
【００３４】
このように、フォルダー１を図２に示すＬ字開口型の袋型フォルダーから、切り取り部２０のミシン目（二点鎖線）に沿って側面部５を切り離す簡単な操作によって、当該フォルダー１を、図５に示すブック型フォルダーへ変更すれば、図６で示すように、バインダー部１０の孔１１内にスティクファスナー７０を嵌挿させる簡単な操作で、ランダムに収容されたカルテ（ケルン１）６１等の複数枚の紙葉類を一定の順序で重ねて閉じることができる。
【００３５】
なお、上記実施例では、図２に示すように、フォルダー１を、上方の開口部４０と左側方の開口部４１とから、それぞれ矢印Ｅ、矢印Ｆのようにランダムに紙葉類を挿し込んで収容することができる、いわゆるＬ字開口型の袋型フォルダーとした場合について詳述したが、この発明は上記実施例に限定されることなく、フォルダー１の両側方を予め封鎖し、上方の開口部４０のみが形成されたタイプのフォルダーに適用してもよく、その場合はミシン目の切り取り部２０を左右両側方の各側面部に形成すればよい。
【００３６】
また上記実施例では、図６に示すように、バインダー部１０は、孔１１と、この孔１１内に嵌挿するスティクファスナー７０により構成するようにしたが、このバインダー部１０は、ヒンジ型等の各種のタイプのものが適用可能であり、その形式に限定されないことは勿論である。
【００３７】
また上記実施例では、フォルダー１を透明又は半透明からなるプラスチック等の合成樹脂からなるシート材２により形成するようにしたが、この発明は上記実施例に限定されることなく、例えば不透明な紙材のシート材から形成してもよく、フォルダー１の材質は各種のものが適用可能であることは言うまでもない。
【産業上の利用可能性】
【００３８】
以上説明したように、この発明は、簡単な操作で袋型フォルダーをブック型フォルダーに変更することができる袋型及びブック型兼用フォルダーに適している。
【図面の簡単な説明】
【００３９】
【図１】図１は、この発明に係る袋型及びブック型兼用フォルダーの展開図。
【図２】図２は、この発明に係る袋型及びブック型兼用フォルダーの正面図。
【図３】図３は、この発明に係る袋型及びブック型兼用フォルダーの作用を示す正面図。
【図４】図４は、この発明に係る袋型及びブック型兼用フォルダーの作用を示す正面図。
【図５】図５は、この発明に係る袋型及びブック型兼用フォルダーの作用を示す展開図。
【図６】図６は、この発明に係る袋型及びブック型兼用フォルダーの作用を示す概念斜視図。
【符号の説明】
【００４０】
１…袋型及びブック型兼用フォルダー（袋型フォルダー，ブック型フォルダー）  ５…側面部
１０…バインダー部
１１…孔
２０…切り取り部
４２…底部
４０…開口部
７０…スティクファスナー
【図１】
2008155511.tif 000003
【図２】
2008155511.tif 000004
【図３】
2008155511.tif 000005
【図４】
2008155511.tif 000006
【図５】
2008155511.tif 000007
【図６】
2008155511.tif 000008